(57)【要約】【課題】  発熱時に太い動脈が集中している身体部位を冷却するに際して、専用の装着具等を用いることなく、通常の衣類の上から保冷ベルトをたすきがけ（ベルトの中心を頚部に当て、肩を通り胸部の中心で交差させ、脇を通り背部で止める）の要領で簡便かつ着脱自在に固定しうる解熱用具を提供する。【解決手段】  保冷剤の収納体（頚部・右脇・左脇）が付いたベルトの形状を有し、柔軟性のある素材からなる。ベルトをたすきがけ（ベルトの中心を頚部に当て、肩を通り胸部の中心で交差させ、脇を通り背部で止める）にすることで固定が確実にでき、簡便に着脱ができる。頚部と脇の間の生地を伸縮性のある素材にすることにより、体格に合わせ脇に合致した部位に、収納体を調節することができる。背中の留め具であるマジックテープ（登録商品）の一方を長くとることで、より体格に合わせ変更・調節が可能である。コンパクトであるため携帯に便利である。【選択図】  図１
0003111146.tif 000002
【実用新案登録請求の範囲】
【請求項１】
保冷剤の収納体（頚部・右脇・左脇）が付いたベルトの形状を有する。その素材は、柔軟性のある生地を使用することにより、頚部など直接肌に触れても肌ざわりが良く、発汗時には生地が汗を吸収してくれる。保冷剤の収納部を二重構造にすることにより、凍傷の予防や保冷剤が溶け出しても生地が吸収してくれることを特徴とする解熱用具。
【請求項２】
また、上記の解熱用具において、ベルトの形状をしているので、たすきがけ（ベルトの中心を頚部にあて、肩を通り胸部の中心で交差させ、脇を通り背部で止める。以下、たすきがけと略す）にすることにより、簡単に装着できる。さらに、就寝中の寝返りや立位での移動動作時、解熱の必要性が理解できない乳幼児でもずれることなく頚部・右脇・左脇を保冷することができる。頚部と脇の間の生地を伸縮性のある素材にすることにより、体格に合わせ脇に合致した部位に、収納体を調節することができる。背中で止める部分をマジックテープ（登録商品）にすることにより、より体格に合わせ調節することができる。コンパクトなので携帯に便利であることを特徴とする解熱用具。
【考案の詳細な説明】
【技術分野】
【０００１】  本考案は、保冷剤の収納体（頚部・右脇・左脇）が付いたベルトをたすきがけにすることにより、頚部・脇の下を冷却するための解熱用具に関する。
【背景技術】
【０００２】  従来、風邪等で発熱した場合、氷嚢や解熱用の保冷剤を額や後頭部にあてがうことにより、頭部を冷やすことが一般に行われてきた。しかし、近年、発熱時には頚部・脇の下など表皮に近く、かつ、太い動脈が集中している部分を冷やすことが有効なことが知られるようになり、身体のこれらの部分に、保冷剤等の冷却媒体を固定して、継続的に冷却するための用具が必要になっている。【０００３】  そのため、例えば実開平６−３１７１７号公報には、屈折式の保冷袋を固定ベルトと粘着物質で、脇の下に密着固定させるための「屈折固定式脇の下用保冷袋」が開示されている。【０００４】  また、実開平７−３４８１１号公報には、冷却剤を収納可能で、脇の下に装着可能な一対の収納体が紐体を介して連結されてなる解熱用装着具が開示されている。【０００５】  また、実願平８−１００７０号公報には、保冷剤を収納するポケットを衣類に係脱自在に係止する「解熱用具」が開示されている。
【考案の開示】
【考案が解決しようとする課題】
【０００６】  しかし、上記のように冷却媒体を身体に直接固定する方式では、頚部・脇の下の身体の異なる部位毎に別々の構造・形状の固定用具を必要とし、簡便な方法でこれらの部位を同時に冷却することができない。【０００７】  また、上記のような用具を身体に装着するのは違和感が大きく、安眠の妨げとなることが多い。さらに、冷却媒体と身体との間に適度な伝熱抵抗がないと、冷却が過剰になり皮膚に軽度の凍傷が生じる懸念もある。特に皮膚の知覚鈍麻が生じやすい老人や皮膚の弱い乳幼児・言葉が話せない小児の場合には、上記の諸点は無視できない問題である。【０００８】  上記のような問題を解決するために、保冷剤を衣類、例えば寝衣や下着に固定することが考えられるが、そのために専用の衣類を制作することは、発熱の頻度が決して高くないことを考慮すると経済的ではない。【０００９】  一方、衣類の頚部・脇の下に、例えばポケット状の収納部を常時取り付けておくような方法では、衣類としての機能に支障が大きく好ましくない。また、衣類を着用した時、ポケット状の収納部を衣類に固定してしまうと微妙な位置の調整ができなくなってしまう。【００１０】  本考案は、上記のような従来技術の問題点からすると、発熱時に太い動脈が集中している身体部位を冷却するに際して、専用の装着具等を用いることなく、通常の衣類の上から保冷ベルトをたすきがけの要領で簡便かつ着脱自在に固定しうる解熱用具を提供することを目的とする。【００１１】  また、就寝中の寝返りや立位での移動動作時、解熱の必要性が理解できない乳幼児は衣類と身体がずれる場合が多い。一方、本考案はベルトの形状をしているため、たすきがけにすることにより固定が確実にできる。さらに、頚部と脇の間の生地を伸縮性のある素材にすることにより、体格に合わせ脇に合致した部位に、収納体を調節することができる。背部で止める部分をマジックテープ（登録商品）にすることにより、より体格に合わせ調節しうる解熱用具を提供することを目的とする。
【考案を解決するための手段】
【００１２】  本考案は上記の課題を解決するためになされたもので、その要旨は発熱時は太い動脈が集中する身体部位を冷却するための解熱用具であって、保冷剤の収納体（頚部・右脇・左脇）が付いたベルトの形状を有する。その素材は柔軟性のある生地を使用することにより、頚部など直接肌に触れても肌ざわりが良く、発汗時には生地が汗を吸収してくれる。保冷剤の収納部を二重構造にすることにより、凍傷の予防や保冷剤が溶け出しても生地が吸収してくれることを特徴とする解熱用具である。
【００１３】  また、上記の解熱用具において、ベルトの形状をしているため、たすきがけにすることで簡単に装着でき、就寝中の寝返りや立位での移動動作時、解熱の必要性が理解できない乳幼児でもずれることなく頚部・右脇・左脇を保冷することができる。さらに、頚部と脇の間の生地を伸縮性のある素材にすることにより、体格に合わせ脇に合致した部位に、収納体を調節することができる。背中で止める部分をマジックテープ（登録商品）にすることにより、より体格に合わせ調節できる。コンパクトであるため携帯に便利であることを特徴とする解熱用具である。
【考案の効果】
【００１４】  本考案により、頚部・右脇・左脇の太い動脈の集中する身体部位を、発熱時に簡便に冷却することが可能になった。特に、本考案により専用の装身具等を用いることなく、通常の肌着・寝衣等の上から保冷ベルトをたすきがけの要領で固定できる。頚部と脇の間の生地を伸縮性のある素材にすることにより、体格に合わせ脇に合致した部位に収納体を調節することができるため、効果的に上記の身体部位を冷却することが可能となった。
【００１５】  また、本考案の解熱用具は柔軟性のある生地を使用することにより、頚部など直接肌に触れても肌ざわりが良く、発汗時には生地が汗を吸収してくれる。保冷剤の収納部を二重構造にすることにより、凍傷の予防や保冷剤が溶け出しても生地が吸収してくれる。
【００１６】  さらに、就寝中の寝返りや立位での移動動作時、解熱の必要性が理解できない乳幼児は衣類と身体がずれる場合が多い。一方、本考案はベルトの形状をしているため、たすきがけにすることでずれることなく確実に解熱できる。他にも、病院の患者など高熱がありベット上での寝返りをする時ずれることがなく、また、冷却が必要であるがトイレや検査などで立位になり移動が必要な場合、その都度はずすことなくベルトを装着したままの移動が可能になる。
【００１７】  ベルトの留め具は、マジックテープ（登録商品）を用いることで仰臥位で寝たとき背部への違和感が少なくて済む。また、マジックテープ（登録商品）の一方を長くとることにより体格に合わせ調節することができる。コンパクトであるため携帯に便利である。
【考案を実施するための最良の形態】
【００１８】  本考案の一実施例における保冷剤の収納体が付いたベルトの構造・形状を示す。図１は、保冷剤の収納体が付いたベルトの縦長の正面図である。図２（ａ）は、保冷剤を収納した時の図１のＡ−Ａ矢視断面図である。図２（ｂ）は、体格に合わせ背部のマジックテープ（登録商品）で調節するための図１のＢ−Ｂ矢視断面図である。図３（ａ）は、保冷剤を収納体に収めた時のポケット部を開口した時の斜視図である。【００１９】  本実施例において、保冷剤の収納体が付いたベルト１は柔軟性のある布状から成り立つ。収納体２が収まる部分のみ二枚の柔軟性のある布状シート（二重構造）３，４からなり、これを部分的に縫い合わせポケット部が形成される。布状シート（二重構造）３，４を開口５し、保冷剤６をポケット部に収納したあと、布状シート（二重構造）３，４の開口部５をもとの形状にすることにより封止できる。このポケットを３カ所の頚部・右脇・左脇に配置するよう縫い合わせる。その時、頚部と脇の間の生地を伸縮性のある素材７にすることにより、体格に合わせ脇に合致した部位に、収納体を調節することができる。【００２０】  この解熱用具は小児から大人まで幅広く利用することができ、小児用・大人用の２種類がある。大人用は図１のベルトの縦・横を数十ｃｍずつ長くすることにより大人の体格に合わせることができ、保冷剤収納部も必然的に数ｃｍずつ長くなる。保冷剤は図２（ｃ）のように２ヶ収納するパターンを用いる。【００２１】  保冷剤６は、例えば軟質合成樹脂製の袋内にゼリー状又はゲル状の保冷物質を充填・密封したものを用いる。保冷物質は０℃以下の低温で硬くなりにくいものを、例えば吸収性ポリマーに多価アルコールを含浸させたようなものを用いることが好ましい。保冷剤は冷凍庫等で冷却して使用され、１〜２時間程度で交換する必要があるが、収納体を上記のような構造にすることにより、簡便に保冷剤の取り出し・交換を行うことができる。【００２２】  図１のベルトの留め具は、マジックテープ（登録商品）を用いることで仰臥位で寝たとき背部への違和感が少なくて済む。また、マジックテープ（登録商品）の一方を長くとることにより体格に合わせ調節することができる。【００２３】  収納体の大きさは、冷却を必要とする身体部位の大きさを考慮して適宜選択すれば良いが、通常は一辺が数ｃｍ〜数十ｃｍのものを用いる。保冷剤は収納体のポケット部に容易に出し入れできる程度の大きさとし、その厚みは頚部・脇の下部にあてがったときに、あまり違和感がない厚みが好ましい。【００２４】  図２に本考案に用いる保冷剤の収納体の他の例を示す。図２（ｃ）は保冷剤６を２ヶ収納した時の図１のＣ−Ｃ矢視断面図である。図３（ｂ）は保冷剤６を収納体２に収めた時のポケット部を開口５した時の斜止図である。【００２５】  図１の収納体に保冷剤を各１ヶ所ずつ（トータル３ヶ）入れる場合は、乳幼児など身体が小さい場合に適するが、図２（ｃ）は体格が大きくなれば冷やす面積も広がるので、隣接しているもう一つのポケットに保冷剤を収納（トータル６ヶ）することにより効果的に解熱することができる。その時、連結しているポケットに保冷剤を入れると中心部が自然に２分割されるため、頚部・脇の下に��りフィットした形状となり効果的に解熱することができる。大人用も図２（ｃ）のように、保冷剤を６ヶ使用する。【００２６】  このようにベルトの形状にすることにより、▲１▼たすきがけの要領で着脱ができるため本人又は看護者は取り付け、取り外しが簡単にできる。▲２▼衣類を身につけた状態で、最も適切な冷却部位を選定できる。▲３▼就寝中の寝返りや立位動作時、解熱の必要性が理解できない乳幼児は衣類と身体がずれる場合があるが、ベルトの形状をしているためずれることなく確実に解熱できる。▲４▼頚部と脇の間の生地を伸縮性のある素材にすることにより、体格に合わせ脇に合致した部位に、収納体を調節することができる。▲５▼病院の患者など高熱がありベット上での寝返りをする時ずれることがなく、また、冷却が必要だがトイレや検査などで立位になり移動が必要な場合、その都度はずすことなくベルトを装着したままの移動が可能になる。▲６▼背中で止める部分をマジックテープ（登録商品）にすることにより、本人又は看護者が体格に合わせ自在に変更・調節できる。▲７▼コンパクトであるため携帯に便利であることが実用上特に重要である。
【図面の簡単な説明】
【００２７】
【図１】本考案の一実施例における保冷剤の収納体が付いたベルトの構造・形状を示す縦長の正面図
【図２】本考案の一実施例における保冷剤を収める収納体とマジックテープの断面図
【図３】本考案の一実施例における保冷剤を収納体に収めた時のポケット部を開口した時の斜止図
【符号の説明】
【００２８】１  柔軟性のある布状のベルト
２  収納体
３、４  布状シート（二重構造）
５  保冷剤挿入部
６  保冷剤
７  伸縮性のある生地
８  マジックテープ（登録商品）
【図１】
0003111146.tif 000003
【図２】
0003111146.tif 000004
【図３】
0003111146.tif 000005
【手続補正書】
【提出日】平成16年9月21日(2004.9.21)
【手続補正１】
【補正対象書類名】実用新案登録請求の範囲
【補正対象項目名】請求項１
【補正方法】変更
【補正の内容】
【請求項１】
保冷剤の収納体（頚部・右脇・左脇）が付いたベルトの形状において、（１）その素材は、柔軟性のある生地を使用することにより、頚部など直接肌に触れても肌ざわりが良く、発汗時には生地が汗を吸収してくれる。（２）保冷剤の収納部を二重構造にすることにより、凍傷の予防や保冷剤が溶け出しても生地が吸収してくれる。以上を特徴とする解熱用具。
【手続補正２】
【補正対象書類名】実用新案登録請求の範囲
【補正対象項目名】請求項２
【補正方法】変更
【補正の内容】
【請求項２】
保冷剤の収納体（頚部・右脇・左脇）が付いたベルトの形状において、（１）ベルトの形状をしているので、たすきがけ（ベルトの中心を頚部にあて、肩を通り胸部の中心で交差させ、脇を通り背部で止める。以下、たすきがけと略す）にすることにより、簡単に着脱できる。（２）就寝中の寝返りや立位での移動動作時、解熱の必要性が理解できない乳幼児でもずれることなく頚部・右脇・左脇を保冷することができる。（３）頚部と脇の間の生地を伸縮性のある素材にすることにより、体格に合わせ脇に合致した部位に、収納体を調節することができる。（４）背中で止める部分を面ファスナーにすることにより、より体格に合わせ調節することができる。（５）コンパクトなので携帯に便利である。以上を特徴とする解熱用具。
【手続補正３】
【補正対象書類名】明細書
【補正対象項目名】００１１
【補正方法】変更
【補正の内容】
【００１１】  また、就寝中の寝返りや立位での移動動作時、解熱の必要性が理解できない乳幼児は衣類と身体がずれる場合が多い。一方、本考案はベルトの形状をしているため、たすきがけにすることにより固定が確実にできる。さらに、頚部と脇の間の生地を伸縮性のある素材にすることにより、体格に合わせ脇に合致した部位に、収納体を調節することができる。背部で止める部分を面ファスナーにすることにより、より体格に合わせ調節しうる解熱用具を提供することを目的とする。
【手続補正４】
【補正対象書類名】明細書
【補正対象項目名】００１３
【補正方法】変更
【補正の内容】
【００１３】  また、上記の解熱用具において、ベルトの形状をしているため、たすきがけにすることで簡単に着脱でき、就寝中の寝返りや立位での移動動作時、解熱の必要性が理解できない乳幼児でもずれることなく頚部・右脇・左脇を保冷することができる。さらに、頚部と脇の間の生地を伸縮性のある素材にすることにより、体格に合わせ脇に合致した部位に、収納体を調節することができる。背中で止める部分を面ファスナーにすることにより、より体格に合わせ調節できる。コンパクトであるため携帯に便利であることを特徴とする解熱用具である。
【手続補正５】
【補正対象書類名】明細書
【補正対象項目名】００１７
【補正方法】変更
【補正の内容】
【００１７】  ベルトの留め具は、面ファスナーを用いることで仰臥位で寝たとき背部への違和感が少なくて済む。また、面ファスナーの一方を長くとることにより体格に合わせ調節することができる。コンパクトであるため携帯に便利である。
【手続補正６】
【補正対象書類名】明細書
【補正対象項目名】００１８
【補正方法】変更
【補正の内容】
【００１８】  本考案の一実施例における保冷剤の収納体が付いたベルトの構造・形状を示す。図１は、保冷剤の収納体が付いたベルトの縦長の正面図である。図２（ａ）は、保冷剤を収納した時の図１のＡ−Ａ矢視断面図である。図２（ｂ）は、体格に合わせ背部の面ファスナーで調節するための図１のＢ−Ｂ矢視断面図である。図３（ａ）は、保冷剤を収納体に収めた時のポケット部を開口した時の斜視図である。
【手続補正７】
【補正対象書類名】明細書
【補正対象項目名】００２２
【補正方法】変更
【補正の内容】
【００２２】  図１のベルトの留め具は、面ファスナーを用いることで仰臥位で寝たとき背部への違和感が少なくて済む。また、面ファスナーの一方を長くとることにより体格に合わせ調節することができる。
【手続補正８】
【補正対象書類名】明細書
【補正対象項目名】００２６
【補正方法】変更
【補正の内容】
【００２６】  このようにベルトの形状にすることにより、▲１▼たすきがけの要領で着脱ができるため本人又は看護者は取り付け、取り外しが簡単にできる。▲２▼衣類を身につけた状態で、最も適切な冷却部位を選定できる。▲３▼就寝中の寝返りや立位動作時、解熱の必要性が理解できない乳幼児は衣類と身体がずれる場合があるが、ベルトの形状をしているためずれることなく確実に解熱できる。▲４▼頚部と脇の間の生地を伸縮性のある素材にすることにより、体格に合わせ脇に合致した部位に、収納体を調節することができる。▲５▼病院の患者など高熱がありベット上での寝返りをする時ずれることがなく、また、冷却が必要だがトイレや検査などで立位になり移動が必要な場合、その都度はずすことなくベルトを装着したままの移動が可能になる。▲６▼背中で止める部分を面ファスナーにすることにより、本人又は看護者が体格に合わせ自在に変更・調節できる。▲７▼コンパクトであるため携帯に便利であることが実用上特に重要である。
【手続補正９】
【補正対象書類名】明細書
【補正対象項目名】００２７
【補正方法】変更
【補正の内容】
【００２７】
【図１】本考案の一実施例における保冷剤の収納体が付いたベルトの構造・形状を示す縦長の正面図
【図２】本考案の一実施例における保冷剤を収める収納体と面ファスナーの断面図
【図３】本考案の一実施例における保冷剤を収納体に収めた時のポケット部を開口した時の斜止図
【手続補正１０】
【補正対象書類名】明細書
【補正対象項目名】００２８
【補正方法】変更
【補正の内容】
【００２８】  １  柔軟性のある布状のベルト  ２  収納体  ３、４  布状シート（二重構造）  ５  保冷剤挿入部  ６  保冷剤  ７  伸縮性のある生地  ８  面ファスナー